(57)【要約】      （修正有）【課題】屠殺される家禽から取り出される臓器パッケージを、臓器同士を互いに分離する加工を効果的に行うことが可能な加工する方法及び加工デバイスを提供する。【解決手段】事前に選択された臓器を臓器パッケージから選択的に通過可能とする間隙３を、ローラ同士の間で画定する少なくとも２個の協同ローラ１、２を使用し、臓器パッケージを運ぶと同時に前記事前に選択された臓器が間隙を通過することを促進するために、操作中においてローラは反対の方向に回転し、ローラは、ローラ外周の周囲にポケット８が設けられる。【選択図】図１
2015177792.tif 000002
【特許請求の範囲】
【請求項１】
屠殺される家禽から取り出される臓器パッケージを加工する加工デバイスであって、
事前に選択された臓器を前記臓器パッケージから選択的に通過可能とする間隙（３）を、ローラ（１、２）同士の間に画定する少なくとも２個の協同ローラ（１、２）を備え、
前記協同ローラ（１、２）は、前記臓器パッケージを運ぶと同時に前記事前に選択された臓器が前記間隙（３）を通過することを促進するために、操作中において反対の方向に回転し、
ローラ（１、２）は、ローラ外周の周囲にポケット（８）が設けられる
ことを特徴とする加工デバイス。
【請求項２】
前記ポケット（８）は、異なるタイプで設けられ、各タイプは別のタイプと異なる深さを有する
ことを特徴とする請求項１に記載の加工デバイス。
【請求項３】
前記ポケット（８）は、丸みを帯びた縁部（９）が設けられる
ことを特徴とする請求項１又は２に記載の加工デバイス。
【請求項４】
ローラ（１、２）の比較的大きい直径の部分におけるローラ外周の周囲にポケット（８）が設けられる
ことを特徴とする請求項１〜３の何れか１項に記載の加工デバイス。
【請求項５】
各ローラ（１、２）が表面湾曲形状（１０）を形成するように、前記ローラ（１、２）は断面直径を有し、その値はローラの長手方向で様々であって、前記ローラ（１、２）の入口部（４）と出口部（５）との間の断面の位置に依存する
ことを特徴とする請求項１〜４の何れか１項に記載の加工デバイス。
【請求項６】
各ローラ（１、２）は、互いに比較したときに、１個以上の比較的小さい直径の部分（Ａ）及び１個以上の比較的大きい直径の部分（Ｂ）を有する
ことを特徴とする請求項１〜５の何れか１項に記載の加工デバイス。
【請求項７】
ローラ（１、２）は、ローラ（１、２）の長手方向において断続的に繰り返して設けられる比較的小さい直径の部分（Ａ）及び比較的大きい直径の部分（Ｂ）を有する
ことを特徴とする請求項１〜６の何れか１項に記載の加工デバイス。
【請求項８】
ローラ（１、２）は、正弦波又は余弦波の形状に従う表面形状（１０）を有する
ことを特徴とする請求項１〜７の何れか１項に記載の加工デバイス。
【請求項９】
第１ローラ（１）の比較的小さい直径の部分（Ａ）が、第２ローラ（２）の比較的大きい直径の部分（Ｂ）に隣接し、逆の場合も同様に隣接するように、第１及び第２協同ローラ（１、２）の表面湾曲形状（１０）は互いに整合する
ことを特徴とする請求項１〜８の何れか１項に記載の加工デバイス。
【請求項１０】
前記間隙（３）が、前記ローラ（１、２）の長手方向全体に沿って適用する既定値に調整可能となるように、協同ローラ（１、２）は、前記ローラ（１、２）の長手方向を垂直に横切る方向に厳密に調整可能である
ことを特徴とする請求項１〜９の何れか１項に記載の加工デバイス。
【請求項１１】
前記ローラ（１、２）同士の間の間隙（３）を調整するように、少なくとも一方の協同ローラ（１又は２）は、他方のローラ（２又は１）に対して、その長手方向に調整可能である
ことを特徴とする請求項１〜１０の何れか１項に記載の加工デバイス。
【請求項１２】
前記ローラ（１、２）は、溝（６、７）が設けられ、
それぞれの溝（６、７）に設けられるスペース（１１）を協同ローラ（１、２）同士の間の間隙（３）の方向に調整するように、少なくとも一方の協同ローラ（１又は２）は、他方のローラ（２又は１）に対して、その長手方向に調整可能である
ことを特徴とする請求項１〜１１の何れか１項に記載の加工デバイス。
【請求項１３】
前記ローラ（１、２）は、溝（６、７）が設けられ、
それぞれの溝（６、７）に設けられるスペース（１１）を協同ローラ（１、２）同士の間の間隙（３）の方向に調整するために、少なくとも一方の協同ローラ（１又は２）は他方のローラ（２又は１）に対して、その回転位置に位相調整される
ことを特徴とする請求項１〜１２の何れか１項に記載の加工デバイス。
【請求項１４】
請求項１〜１３の何れか１項に記載の加工デバイスを１個以上備える
ことを特徴とする加工装置。
【請求項１５】
屠殺される家禽から取り出される臓器パッケージを加工する方法であって、
事前に選択された臓器を前記臓器パッケージから選択的に通過可能とする間隙（３）を、ローラ（１、２）同士の間で画定する少なくとも２個の協同ローラ（１、２）を提供する工程と、
臓器パッケージを運ぶと同時に前記事前に選択された臓器が前記間隙（３）を通過することを促進するために、前記ローラ（１、２）を反対の方向に回転させる工程と、
ローラ外周の周囲にポケット（８）を設ける工程とを有する
ことを特徴とする方法。
【請求項１６】
異なるタイプのポケット（８）を設け、各タイプは別のタイプと異なる深さを有する
ことを特徴とする請求項１５に記載の方法。
【請求項１７】
丸みを帯びた縁部（９）を有するポケット（８）を設ける
ことを特徴とする請求項１５又は１６に記載の方法。
【請求項１８】
ローラ（１、２）の比較的大きい直径の部分（Ｂ）におけるローラ外周の周囲にポケット（８）を設ける
ことを特徴とする請求項１５〜１７の何れか１項に記載の方法。
【請求項１９】
前記ローラは断面直径を有し、その値はローラの長手方向で様々であって、前記ローラ（１、２）の入口部（４）と出口部（５）との間の断面の位置に依存するように、各ローラ（１、２）に繰り返される表面湾曲形状（１０）を形成する工程とを有する
ことを特徴とする請求項１５〜１８の何れか１項に記載の方法。
【請求項２０】
各ローラ（１、２）は、互いに比較したときに、１個以上の比較的小さい直径の部分（Ａ）及び１個以上の比較的大きい直径の部分（Ｂ）を有する
ことを特徴とする請求項１５〜１９の何れか１項に記載の方法。
【請求項２１】
ローラ（１、２）の長手方向において断続的にローラ（１、２）の比較的小さい直径の部分（Ａ）及びローラ（１、２）の比較的大きい直径の部分（Ｂ）を設ける
ことを特徴とする請求項１５〜２０の何れか１項に記載の方法。
【請求項２２】
ローラ（１、２）は、表面形状（１０）が正弦波又は余弦波の形状に従う
ことを特徴とする請求項１５〜２１の何れか１項に記載の方法。
【請求項２３】
前記第１ローラ（１）の比較的小さい直径の部分（Ａ）と第２ローラ（２）の比較的大きい直径の部分（Ｂ）とが隣接し、逆の場合も同様に隣接するように、第１及び第２の協同ローラ（１、２）の表面湾曲形状（１０）は互いに整合する
ことを特徴とする請求項１５〜２２の何れか１項に記載の方法。
【請求項２４】
ローラ（１、２）同士の間の間隙（３）を、ローラ（１、２）の長手方向全体に沿って適用する既定値（Ｘ）にセットするように、ローラの長手方向を横切る前記協同ローラ（１、２）の位置を調整する
ことを特徴とする請求項１５〜２３の何れか１項に記載の方法。
【請求項２５】
ローラ（１、２）同士の間の間隙（３）を既定値にセットするように、少なくとも一方の協同ローラ（１又は２）を、他方のローラ（２又は１）に対して、その長手方向に調整する
ことを特徴とする請求項１５〜２４の何れか１項に記載の方法。
【請求項２６】
ローラ（１、２）は、溝（６、７）が設けられ、
協同ローラ（１、２）同士の間の間隙（３）の方向において、それぞれの溝（６、７）によって形成される既定寸法のスペース（１１）を形成するように、少なくとも一方のローラ（１又は２）を、他方のローラ（２又は１）に対して、その長手方向に調整する
ことを特徴とする請求項１５〜２５の何れか１項に記載の方法。
【請求項２７】
ローラ（１、２）は、溝（６、７）が設けられ、
協同ローラ（１、２）同士の間の間隙（３）の方向において、それぞれの溝（６、７）によって形成される既定寸法のスペース（１１）を形成するように、少なくとも一方の協同ローラ（１又は２）を、他方のローラ（２又は１）に対して、その回転位置に位相調整する
ことを特徴とする請求項１５〜２６の何れか１項に記載の方法。
【発明の詳細な説明】
【技術分野】
【０００１】
本発明は、加工デバイス又は加工装置において屠殺される家禽から取り出される臓器を機械的に加工する方法に関する。臓器は、臓器パッケージの一部で、その臓器は臓器パッケージから分離する前に加工デバイスで再配向する。通常、家禽から取り出される臓器は腸を含む。
【０００２】
また、本発明は、屠殺される家禽から取り出される臓器パッケージから臓器を収穫する加工装置に関する。加工装置は、臓器パッケージから臓器を加工する少なくとも１個の加工デバイスを備える。
【背景技術】
【０００３】
特許文献１は、屠殺される動物の臓器の集合体を機械的に加工する方法及びデバイスを教示する。集合体は、屠殺される動物の体から分離して取り出される。既定経路に沿って運ばれる集合体の内部で特定の臓器を固定するために、クランピングデバイスが使用される。集合体の中の組織のつながりは、臓器がクランプされる箇所から送られる集合体の空間的配向に基づいて壊される。この公知のデバイスにおいて、内蔵パッケージから腸を分離することは、互いに反対方向に駆動されるらせん状のローラを適用することにより行われる。臓器パッケージはローラの上のクランピング手段によって固定される。
【０００４】
特許文献２は、内蔵パッケージから肝臓と心臓を収穫する方法及び装置であって、ローラアセンブリの上に内蔵パッケージを固定する手段を備えず、送込みピンチローラアセンブリを備える方法及び装置を開示する。腸引下げ部及び肝臓心臓分離アセンブリとが設けられる。内蔵パッケージは１対の反対のローラに供給され、パッケージは送込みピンチローラによって捕捉される。そして、砂嚢のみをローラの頂部に保持してローラの間にパッケージを通す。左と右のローラは間隙ラインに沿って収束し、ローラ同士の間のスペースは、肝臓と心臓と腸が通過可能とするために十分である。肝臓と心臓は、引下げストリッパアセンブリとローラの下流のストリッパアームアセンブリによって分離され独立する。
【０００５】
特許文献３から、セパレータは、円周方向の少なくとも一部に溝が設けられる協同ローラを備えることが知られる。第１ローラは、ローラ同士の間に好ましい調整可能な間隙を画定することが好ましい。事前に選択された臓器を臓器パッケージから選択的に通過可能とするためである。操作中において、臓器パッケージを運ぶと同時に事前に選択された臓器が間隙を通過することを促進するため、ローラ同士は反対の方向に回転する。この文献は、ローラの運搬方向において、ローラ同士が狭い間隙を画定することも開示する。事前に選択された他の臓器がローラによって運ばれ支持される一方で、事前に選択された臓器が間隙より広い部分で間隙を介して移動するようにする。
【０００６】
特許文献４は、砂嚢を収穫する加工デバイスを開示する。デバイスは、２個の協同ローラを備える。ローラはその間で間隙を画定し、それぞれ両方の端部がベアリングブロックに回転可能に取り付けられる。ベアリングブロックは、ローラ同士が相対的にシフトできるように調整可能である。通常、ベアリングブロックはローラ同士が互いに略平行となるように調整され、水平に位置決めされ、その長さに沿って様々な（ローラの構造による）間隔が空けられる。ローラは、送込み端部及び放出端部と、その間のテーパ部とを有する。送込み部は、第１ネジ頂部直径を有し、放出部は第１ネジ頂部直径よりも大きい第２ネジ頂部直径を有する。テーパ部は、送込み部の第１ネジ頂部直径から放出部の第２ネジ頂部直径へと増加するネジ頂部直径を有する。ローラ同士の間隙は様々である。
【０００７】
特許文献５から、屠殺される家禽から取り出される腸から砂嚢を分離するデバイスが知られる。デバイスは、平行であって反対に回転する２個のローラを備える。各ローラは、スクリューのような、腸と砂嚢を運ぶ周方向リブを有する。ローラの前方端部は、反対のピッチを有するリブとで、より密集して設けられるリブと成る。
【先行技術文献】
【特許文献】
【０００８】
【特許文献１】ＥＰ１７６９６８１Ａ
【特許文献２】ＵＳ２００８／０１６０８９２
【特許文献３】ＥＰ２１０３２２２Ａ
【特許文献４】ＵＳ４，３８２，３１３
【特許文献５】ＮＬ８５０２７８５
【発明の概要】
【発明が解決しようとする課題】
【０００９】
一般的に、臓器パッケージから分離した臓器を収穫する目的で、屠殺される家禽から臓器を機械的に加工する方法及び加工装置は、様々な問題を抱えている。例えば、臓器パッケージを加工中に失ったり、肝臓や心臓等の臓器にダメージを与えたり、意図せず胆嚢等の臓器が除去されて臓器が完全には分離せず、また加工装置を妨害することがある。ある先行技術では、パッケージがローラの頂部で加速され、加工時間を比較的短くする。他の欠点としては、ローラに、又はローラ近傍に汚れが収束することである。
【００１０】
本発明では、これらの問題の少なくともいずれかを扱い、臓器パッケージの一部を形成し、屠殺される家禽から取り出される臓器を加工する既存の方法及び機械に代わる解決手段を提供することを意図する。
【課題を解決するための手段】
【００１１】
方法、加工デバイス及び加工装置は、添付の特許請求の範囲で提案される。本発明の一態様によれば、屠殺される家禽から取り出される臓器パッケージを加工する加工デバイスであって、事前に選択された臓器を前記臓器パッケージから選択的に通過可能とする間隙を、ローラ同士の間に画定する少なくとも２個の協同ローラを備え、前記協同ローラは、前記臓器パッケージを運ぶと同時に前記事前に選択された臓器が前記間隙を通過することを促進するために、操作中において反対の方向に回転し、ローラはローラ外周の周囲にポケットが設けられる。ポケットは、臓器を捕え、これらの臓器が間隙を通って間隙の下に移動させるための余地を提供する。このようなポケットは、先行技術の直進ローラに効果的に適用され得る。
【００１２】
捕えられるべき臓器の異なるサイズに適合するために、ポケットは異なるタイプで設けられ、各タイプは他のタイプと異なる深さを有することが望ましい。
臓器にダメージが与えられることを防止するために、ポケットは丸みを帯びた縁部が設けられることが好ましい。縁部の丸みを適切な程度に選択することにより、ポケットは効果的に砂嚢から肝臓を離すことも可能となる。
【００１３】
ポケットの最も好ましい場所は、ローラの大きい直径の部分におけるローラ外周の周囲である。
前述した特徴から独立して又は組み合わされて、各ローラが繰り返される表面湾曲形状を形成するように、ローラは断面直径を有し、その値はローラの長手方向において様々であって、前記ローラの入口部と出口部との間の断面の位置に依存することが好ましい。本発明のこの態様のローラは、本質的に表面湾曲形状を有することを特徴とする。この表面湾曲形状により、特にローラの頂部に砂嚢を位置させ、残りの臓器パッケージ、とりわけ心臓、肝臓、腸は効果的に間隙を通ってローラの下の位置に案内される。これにより、臓器同士を互いに分離する加工を効果的に行うことが可能である。
【００１４】
各ローラは、互いに比較したときに１個以上の比較的小さい直径の部分及び１個以上の比較的大きい直径の部分を有することが好ましい。これにより、パッケージは加速及び減速が繰り返し行われ、臓器パッケージにマッサージ効果が得られ、臓器パッケージの残りをローラの下に効果的に追いやることができる。
【００１５】
ローラの比較的直径が小さい部分及び比較的直径が大きい部分は、好ましくはローラの長手方向において断続的に設けられる。比較的小さい直径の部分と比較的大きい直径の部分とが断続的に配置されることにより、パッケージが移送方向に運ばれる間に臓器パッケージは左から右に移動して戻る。臓器パッケージの搬送速度が減少することにより、ローラの頂部の砂嚢と、ローラの下の臓器パッケージの残りとを、より効果的に分離することが可能である。さらに、意図せず臓器パッケージの一部が間隙から離れた方のローラの側面に引っ張られてしまったとしても、ローラの分厚い部分で戻り、ローラの頂部で移動する砂嚢に引っ張られて間隙を通過する。
【００１６】
本発明の好ましい実施の形態に係る加工デバイスは、ローラが、正弦波又は余弦波の形状に従う表面形状を有することを特徴とする。
本発明の一態様において、他の特徴と独立した他の特徴は、第１ローラの比較的小さい直径の部分が、第２ローラの比較的大きい直径の部分に隣接し、逆の場合も同様に隣接するように、第１及び第２協同ローラの表面湾曲形状は互いに整合することである。間隙は主としてローラの長さ方向に沿って一定であり、小さい砂嚢をローラの頂部から離脱させ、これにより、臓器パッケージ全部が失われることを防止できる。
【００１７】
実際は、間隙を調整できることが望ましい。これは、先行技術においては、臓器パッケージを受ける入口側でローラ同士の距離を調整することにより行われていた。ローラ同士の間の間隙は、ローラの搬送方向において、より広い部分からより狭い部分へ収束する。その結果、先行技術においては、ローラの入口側に配置した後直ちに、多くの臓器パッケージが失われる。本発明の別の態様では、小さい砂嚢がローラ同士の間の間隙を通って離脱することを促進し、臓器パッケージ全体が失われることを防止するため、ローラの長手方向全体に沿って適用する既定値に間隙を調整可能とするように、協同ローラはローラの長手方向に垂直な方向に厳密に調整可能である。この特徴は、本発明の他の特徴と独立して適用される。
【００１８】
本発明の加工デバイスの別に実施の形態では、ローラ同士の間の間隙を調整するように、少なくとも一方の協同ローラが他のローラに対して、その長手方向に調整可能である。間隙はローラの長さに渡って一定であることが望ましい。
【００１９】
さらに本発明の加工デバイスの別の実施の形態では、ローラは溝が形成され、それぞれの溝によって設けられるスペースを協同ローラの間隙の方向に調整するように、少なくとも一方の協同ローラは、他方のローラに対して、その長手方向に調整可能である。間隙を通過するべきであって、ローラの頂部に留まる臓器をローラの下部に引っ張るために、このスペースはその臓器の１つによって塞がれる。この特徴も他の特徴から独立して適用される。少なくとも一方の協同ローラを、他方のローラに対して、その回転位置に位相調整することにより、同様の効果が得られる。それぞれの溝によって設けられるスペースを協同ローラの間隙の方向に調整することは、１個のローラを一時的に限定的に回転させることで足りる。
【００２０】
本発明の加工装置は、前述した特徴を有する加工デバイスを１個以上備える。
好ましい特徴を有する実施の形態に関する非限定的な加工デバイスの図により、本発明はさらに明瞭となる。しかしながら、これらの特徴は互いに独立して適用されることは明らかである。当業者は、ある特徴が他の特徴と分離して適用可能であることを想起することができる。ローラの円周にポケットが設けられる等の特徴は、先行技術に関する直進ローラの加工デバイスと同様の効果を奏することができる。ポケットを有するこのような直進ローラは、明らかに本発明によってカバーされる。
【図面の簡単な説明】
【００２１】
【図１】本発明の加工デバイスのローラの平面図を示す。
【図２】第１長手位置におけるローラの平面図、及び第２長手位置におけるローラの平面図を示す。
【図３】図１のローラの断面を示す。
【図４】ローラの円周にポケットが設けられる特別な態様を示す１個のローラの断面を示す。
【発明を実施するための形態】
【００２２】
図面において、同じ構成要素には同じ参照符号が付される。
以下の記載は、本発明に関する加工デバイスの具体的な態様を明確に示すために用いられる。
【００２３】
加工装置にこのような加工デバイスを適用することは、当業者の設計の範囲内である。したがって、加工装置を構成する機械又は機械部品は当業者にとって公知であるため、これらの特徴を示すことを省略する。また、本発明の加工デバイスで取り扱われ、又は加工される臓器パッケージも当業者にとって公知であるため、臓器パッケージを示すことも省略する。さらに、このような臓器パッケージは、本発明の保護範囲の一部ではない。
【００２４】
まず、図１を参照する。本発明の加工デバイスの２個の協同ローラ１、２の平面図が示される。ローラ１、２は、そのローラ１、２同士の間で間隙３を画定する。間隙３は、事前に選択された臓器を、臓器パッケージから選択的にその間隙３を通過可能とする。臓器パッケージを運ぶと同時に事前に選択された臓器が間隙３を通過することを促進するために、図３に示されるように、ローラ１、２は反対の方向に回転する。
【００２５】
図１及び図３に示されるように、各ローラ１、２が表面湾曲形状１０を形成するように、ローラ１、２は断面直径を有し、その値はローラの長手方向において様々であって、そのローラの入口部３と出口部５との間の断面の位置に依存する。図１のように、ローラ１、２は、正弦波又は余弦波の形状に従う表面形状１０を有することが好ましい。
【００２６】
図１では、ローラ１、２の様々な断面直径は、各ローラ１、２に、１つ以上の部分Ａ及び１つ以上の部分Ｂを設ける場合が描かれる。部分Ａと部分Ｂとを比較すると、部分Ａの直径が比較的小さく、部分Ｂの直径が比較的大きい。比較的小さい直径の部分Ａ、及び比較的大きい直径の部分Ｂは、ローラ１、２の長手方向において断続的に設けられる。さらに、第１ローラ１の部分Ａが第２ローラ２の部分Ｂと隣接し、逆の場合も同様に隣接するように、第１及び第２協同ローラ１、２の表面湾曲形状は互いに整合する。
【００２７】
矢印Ｃは、間隙３がローラ１、２の長手方向に沿って適合する既定値Ｘに調整可能となるように、協同ローラ１、２がローラ１、２の長手方向を垂直に横切る方向に厳密に調整可能であることを示す。
【００２８】
図２は、間隙３の幅を所望の値に調整するための別の態様を示す。図２の上部は、図１に示されるものと対応する第１長手位置におけるローラ１、２を示す。図２の下部は、本発明の加工デバイスの実施の形態における態様を示す。ここで、少なくとも一方のローラ１は、ローラ１、２の間の間隙３を適合させるために、他方のローラ２に対して、その長手方向に調整可能である。ローラ１の長手配置は、矢印Ｄで表される。図２は、ローラ１、２上の溝６、７の位置に関する態様をも示す。すなわち、実施の形態の１つにおいては、それぞれの溝６、７によって設けられるスペース１１を協同ローラ１、２の間隙３の方向に調整するように、限定的にローラ１を矢印Ｅに関して回転させることにより、協同ローラ１、２の一方のローラ１は、他方のローラ２に対して、その回転位置に位相調整される。
【００２９】
別の実施の形態においては、協同ローラ１、２の一方のローラ１を、協同ローラ１、２の他方のローラ２に対して、長手方向に調整可能とすることで行われる。そして、それぞれの溝６、７に形成されるスペース１１を、協同ローラ１、２の間隙の方向に調整可能となる。図２の上部における協同する溝６、７は、図２の下部に示されるねじれ型の溝６、７よりも、その内部に臓器を受け入れる余地が大きい。溝の一部が残りの溝と反対のピッチを有してもよい。溝のピッチが異なることは先行技術で知られている。
【００３０】
図１に戻り、本発明の他の特徴を示す。ローラ１、２は、ローラ外周の周囲にポケット８が設けられる。これは、図４の断面図に示される。ポケット８は、異なるタイプのものが設けられることが好ましい。各タイプは、他のタイプのものと異なる深さを有する。これは図面に示されないが、当業者にとって説明不要である。さらに好ましくは、ポケット８は、丸みを帯びた縁部９が設けられる。ポケット８が、ローラ１、２の比較的大きい直径の部分のローラ外周の周囲に形成されることは、図１から明らかである。この部分は、Ｂとして描かれる領域である。
【００３１】
前述した記載は、本発明の加工デバイスの具体的な実施の形態に関して説明したが、本発明は、この特定の実施の形態に限定されない。本発明の要旨から離れることなく、多くの方法でバリエーションが考えられる。そのため、前述した具体的な実施の形態は、添付の特許請求の範囲を厳格に解釈するために使用されるべきではない。実施の形態は単に添付の特許請求の範囲の用語を説明する意図であって、特許請求の範囲をこの具体的な実施の形態に限定する意図ではない。そのため、本発明の保護範囲は添付の特許請求の範囲のみによって構成されるべきである。特許請求の範囲の用語の曖昧さは、この具体的な実施の形態を使用することにより解決される。
【図１】
2015177792.tif 000003
【図２】
2015177792.tif 000004
【図３】
2015177792.tif 000005
【図４】
2015177792.tif 000006